(57)【要約】【課題】自動手洗い器が設置されている場所や自動手洗い器が設置されていない場所にかかわらず、衛生的な手の洗い方を指導するための衛生指導装置を提供する。【解決手段】手洗いの順序を複数の図３ａ〜３ｈを用いて説明する表示部４と、手洗いの順序の各過程における手洗い時間を利用者にしらせるランプ５ａ〜５ｈが設けられたタイマー部とを備えている。【選択図】図１
0003133257.tif 000002
【実用新案登録請求の範囲】
【請求項１】
手洗いの順序を複数の図を用いて説明する表示部と、手洗いの順序の各過程における手洗い時間を利用者に知らせるタイマー部とを備えてなることを特徴とする衛生指導装置。
【請求項２】
表示部は１枚のパネルで構成され、この１枚のパネルに手洗いの順序を示す複数の図が全て画されていることを特徴とする請求項１記載の衛生指導装置。
【請求項３】
表示部は画像表示装置で構成されていることを特徴とする請求項１記載の衛生指導装置。
【請求項４】
タイマー部は点灯・消灯するランプにより構成されていることを特徴とする請求項１から請求項３までの何れか１項記載の衛生指導装置。
【請求項５】
タイマー部は数字で表示するように構成されていることを特徴とする請求項１から請求項３までの何れか１項記載の衛生指導装置。
【請求項６】
タイマー部はブザーにより構成されていることを特徴とする請求項１から請求項３までの何れか１項記載の衛生指導装置。
【請求項７】
タイマー部は残り時間を視認できるように構成したことを特徴とする請求項１から請求項５までの何れか１項記載の衛生指導装置。
【請求項８】
タイマー部は経過時間を視認できるように構成したことを特徴とする請求項１から請求項５までの何れか１項記載の衛生指導装置。
【請求項９】
手洗いの順序の各過程での手洗いの仕方を音声で説明するようにしたことを特徴とする請求項１から請求項８までの何れか１項記載の衛生指導装置。
【考案の詳細な説明】
【技術分野】
【０００１】
本考案は、例えば食品工場などにおいて手洗いを正しく行なわれていないことに起因する食中毒の発生を未然に防止するために、手洗い時において手を衛生的に洗う順序を指導する衛生指導装置に関するものである。
【背景技術】
【０００２】
従来から自動手洗い器において、装置の使用順番を表示装置や音声装置を用いて利用者に伝達するようにしたものが知られている。しかし、使用者は装置の使用順番のみしか分からず、手洗いを行なった際に個人差があり、利用者全員が完全な手洗いを行なっていないのが実情である。
【考案の開示】
【考案が解決しようとする課題】
【０００３】
上記のような自動手洗い器が設置されている場所でも利用者全員が完全な手洗いを行なっていないのが実情であり、その理由として衛生的な手の洗い方を知らないことが挙げられる。
【０００４】
本考案の目的は、このような課題を解決するものであり、自動手洗い器が設置されている場所や自動手洗い器が設置されていない場所にかかわらず、衛生的な手の洗い方を指導するための衛生指導装置を提供することにある。
【課題を解決するための手段】
【０００５】
本考案の請求項１に記載の衛生指導装置は、手洗いの順序を複数の図を用いて説明する表示部と、手洗いの順序の各過程における手洗い時間を利用者に知らせるタイマー部とを備えてなることを特徴とする。
【０００６】
請求項２に記載の衛生指導装置は、表示部は１枚のパネルで構成され、この１枚のパネルに手洗いの順序を示す複数の図が全て画されていることを特徴とする。
請求項３に記載の衛生指導装置は、表示部は画像表示装置で構成されていることを特徴とする。
【０００７】
請求項４に記載の衛生指導装置は、タイマー部は点灯・消灯するランプにより構成されていることを特徴とする。
請求項５に記載の衛生指導装置は、タイマー部は数字で表示するように構成されていることを特徴とする。
【０００８】
請求項６に記載の衛生指導装置は、タイマー部はブザーにより構成されていることを特徴とする。
請求項７に記載の衛生指導装置は、タイマー部は残り時間を視認できるように構成したことを特徴とする。
【０００９】
請求項８に記載の衛生指導装置は、タイマー部は経過時間を視認できるように構成したことを特徴とする。
請求項９に記載の衛生指導装置は、手洗いの順序の各過程での手洗いの仕方を音声で説明するようにしたことを特徴とする。
【考案の効果】
【００１０】
以上のように、本考案の衛生指導装置は、自動手洗い器が設置されている場所や自動手洗い器が設置されていない場所にかかわらず、衛生指導装置の案内に従って手洗いをすることによって、誰もが同じように衛生的で確実な手洗いをすることができ、統一した衛生管理を行なうことが可能となる。
【考案を実施するための最良の形態】
【００１１】
以下、本考案の一実施の形態を、図１〜図３を用いて具体的に説明する。
図において、１は衛生指導装置の本体部で、この本体部１の前面の１枚のパネル２には手洗いの順序を示す複数の図３ａ〜３ｈが全て画されてなる表示部４が設けられている。そしてこの表示部４において、手洗いの順序の各過程を示す各図３ａ〜３ｈの下側にはどの部分を洗うかを表示する文字４ａ〜４ｈが記載されている。さらにこの表示部４において、パネル２に画された手洗いの順序の各過程を示す各図３ａ〜３ｈの背面には光源（図示せず）が設けられており、各図３ａ〜３ｈの過程での手洗いに必要な定められた時間点灯させるようになっているとともに、手洗いの順序の各過程を示す各図３ａ〜３ｈの上側には各過程での手洗いに必要な時間、詳しくは残り時間と経過時間を同時に表示する発光ダイオード（ＬＥＤ）からなるランプ５ａ〜５ｈが設けられていてタイマー部を構成している。この各図３ａ〜３ｈの上側のランプ５ａ〜５ｈの数は各過程での手洗い時間に応じて決められており、各過程での手洗い作業の経過により各ランプが順番に点灯・消灯するようになっているため、利用者が各過程での残り時間と経過時間を同時に視覚的に確認することができる。詳しくは、図３における動作フロー図に示すように、「手の平」を洗う過程から「すすぐ」までの各過程に一番最初に位置するランプ５ａ〜５ｈの点灯時間は他のランプ５ａ〜５ｈの点灯時間よりも長く設定してあり、「手の平」のスタートから「すすぐ」の終わりまでのトータル時間、即ち手洗い時間を図３における動作フロー図では７５秒に設定している。この手洗い時間は衛生指導装置が設置される場所に応じて適宜設定すれば良い。
【００１２】
なお、図１中、６は手洗いの順序の各過程での手洗い時間の経過をブザー音で知らせるためにパネル２に設けられたブザー音用開口部であり、前記ランプ５ａ〜５ｈの点灯・消灯動作とブザー音とにより利用者が各過程での残り時間と経過時間を同時に視覚的に確認することができる。このブザー音を発するタイミングを図３の動作フロー図において、ランプ５ａ〜５ｈの点灯・消灯のタイミングと併せて示しており、「手の平」を洗う過程から「すすぐ」までの各過程で初めは少し長くブザー音が発され、続いて短い音が断続的に発されるようになっている。以上のように、この実施の形態ではランプ５ａ〜５ｈの点灯・消灯動作とブザー音を併用するようになっているが、何れか一方を備えておれば利用者が前記図３ａ〜３ｈを見ながら衛生的な手洗いの仕方を理解し、手洗い作業を順番に行なうことができる。
【００１３】
また、図１において、７は衛生指導装置をスタートさせるために本体部１の前面のパネル２に設けられたレシーバー部であり、利用者はこのレシーバー部７の前に手を向かせることにより衛生指導装置をスタートさせることができるようになっている。
【００１４】
さらに、前記本体部１には、利用者を認識し、利用状況を記憶・表示させることができる個人認証システムが内蔵されている。このような衛生指導装置にあって手を使わずに認証させることが重要であり、例えば角膜認証したり、名札などにＩＣタグを付けて認証させるようにしても良い。
【００１５】
上記構成の衛生指導装置は図２に示すように手洗い場所８において利用者９が正面から見えるように壁面１０に取り付けられ、上記の表示部４の図３ａ〜３ｈや文字４ａ〜４ｈ、ランプ５ａ〜５ｈを見るとともに、ブザー音を聴きながら所定の順序で手洗いを進めていくものである。
【００１６】
ところで、各図３ａ〜３ｈの下側にはどの部分を洗うかを表示する文字４ａ〜４ｈが記載されているが、手洗いの順序の各過程での手洗いの仕方を音声を用いて説明するようにしても良い。
【００１７】
また、上記のようなランプ５ａ〜５ｈやブザーを用いる代わりに、パネル２の一部に数字で各過程での残り時間や経過時間を表示させるようにしても良い。
さらに、図面に示す実施の形態では１枚のパネル２に手洗いの順序を示す複数の図３ａ〜３ｈが全て画されて表示部４を構成しているが、画面によるディスプレー表示や発光ダイオードを用いたドットによる表示により手洗いの順序の各過程を順番に予め定められた時間表示する画像表示装置で表示部を構成するようにしても良く、このとき各過程での手洗いの残り時間や経過時間を同時に表示するようにすれば良い。
【図面の簡単な説明】
【００１８】
【図１】本考案の一実施の形態における衛生指導装置の斜視図である。
【図２】同衛生指導装置の利用状態を示す説明図である。
【図３】同衛生指導装置の動作フロー図である。
【符号の説明】
【００１９】
１            本体部
２            パネル
３ａ〜３ｈ    図
４            表示部
４ａ〜４ｈ    文字
５ａ〜５ｈ    ランプ
６            ブザー音用開口部
７            レシーバー部
８            手洗い場所
９            利用者
１０            壁面
【図１】
0003133257.tif 000003
【図２】
0003133257.tif 000004
【図３】
0003133257.tif 000005